(57)【特許請求の範囲】
【請求項１】
長尺状の平板であるベース部と、前記ベース部の長手方向に沿って所定の間隔で前記ベース部に接続された複数の羽板部と、を有する平板状の振動板と、
前記羽板部に取り付けられている圧電素子と、
支持部と、本体固定部とを有し、前記支持部によって前記ベース部を支持する平板状の保持部材と、を備え、
前記複数の羽板部のうち隣接する羽板部どうしは、互いに逆位相で振動するように駆動され、
前記保持部材の本体固定部は、前記複数の羽板部の間で、かつ前記支持部の長手方向に平行な端面から延伸して設けられていることを特徴とする圧電ファン。
【請求項２】
前記本体固定部は、前記振動板を平面視して前記ベース部よりも前記羽板部側に設けられていることを特徴とする請求項１に記載の圧電ファン。
【請求項３】
前記保持部材は、絶縁性材料から構成されていることを特徴とする請求項１または請求項２に記載の圧電ファン。
【請求項４】
前記支持部は、前記ベース部と略同じ長尺状である、請求項１〜３のいずれかに記載の圧電ファン。
【発明の詳細な説明】
【技術分野】
【０００１】
本発明は、圧電素子を駆動源として羽板部を振動させることにより送風する圧電ファンに関する。
【背景技術】
【０００２】
圧電素子を駆動源とする従来の圧電ファンは、例えば、特許文献１および２に示されている。【０００３】
特許文献１に記載の圧電ファンは、振動板と圧電素子とを備えている。振動板の一端は、３枚の羽板部に分岐している。振動板の他端は、本体固定用穴を備えている。圧電素子は、それぞれの羽板部に取り付けられている。中央の羽板部に係る圧電素子と左右の羽板部に係る圧電素子とは、逆方向に分極している。それぞれの圧電素子に同位相の交流電圧を加えると、中央の羽板部と左右の羽板部は、逆位相で振動する。振動板の固定端では、中央の羽板部と左右の羽板部の振動とが互いに打ち消し合うため、振動は抑制される。圧電ファンは、以上の動作により送風を行う。【０００４】
特許文献２に記載の圧電ファンは、振動板と圧電素子と支持体とを備えている。振動板は、個別の２枚の羽板部から構成されている。圧電素子は、２枚の羽板部に同じ態様で取り付けられている。支持体は２枚の羽板部を並列に連結支持している。２枚の圧電素子に逆位相の交流電圧を加えると、圧電ファンは上記と同様に動作する。【０００５】
図６に示す圧電ファンは、特許文献１及び２を先行技術として本願の発明者が考案したものである。図６（Ａ）は圧電ファン１０Ｐの外観斜視図であり、図６（Ｂ）は圧電ファン１０Ｐの平面図であり、図６（Ｃ）は圧電ファン１０Ｐの側面図である。【０００６】
圧電ファン１０Ｐは、振動板１１、圧電素子１２１，１２２，１２３，１３１，１３２，１３３と支持体１４１Ｐ，１４２Ｐとを備える。本体固定用穴１５１，１５２は、圧電ファン１０Ｐ本体を例えば送風先の筐体等に固定するために設けられている。なお、図５では、圧電素子１３１，１３２を図示していない。【０００７】
振動板１１は、３枚の羽板部１１１，１１２，１１３とベース部１１０Ｐとから一体的に形成されている。羽板部１１１，１１２，１１３は、ベース部１１０Ｐの長手方向に沿って、羽板部１１２、羽板部１１１、羽板部１１３の順で配置されている。【０００８】
羽板部１１１の一方の平板面には圧電素子１２１が取り付けられており、羽板部１１１の他方の平板面には圧電素子１３１が取り付けられている。羽板部１１２の一方の平板面には圧電素子１２２が取り付けられており、羽板部１１２の他方の平板面には圧電素子１３２が取り付けられている。羽板部１１３の一方の平板面には圧電素子１２３が取り付けられており、羽板部１１３の他方の平板面には圧電素子１３３が取り付けられている。中央の羽板部１１１と左右の羽板部１１２，１１３とが逆位相で振動するように、それぞれの圧電素子の分極方向や印加電圧の向きは、設定されている。それぞれの圧電素子に交流電圧を加えると、圧電ファン１０Ｐは上述のように動作する。【０００９】
支持体１４１Ｐ，１４２Ｐは、ベース部１１０Ｐの両平面から振動板１１を挟み込むことによって、振動板１１を支持している。【００１０】
本体固定用穴１５１，１５２は、ベース部１１０Ｐ及び支持体１４１Ｐ，１４２Ｐを貫通している。圧電ファン１０Ｐは、例えば本体固定用穴１５１，１５２に差し込まれたねじによって、送風先の筐体等に螺合される。【００１１】
なお、圧電ファン１０Ｐにおいて、多くの場合、ベース部１１０Ｐと支持体１４１Ｐ，１４２Ｐとは接着剤により接着されている。
【先行技術文献】
【特許文献】
【００１２】
【特許文献１】特開平２−３３５００号公報
【特許文献２】国際公開第２００９／１１９４３１号パンフレット
【発明の概要】
【発明が解決しようとする課題】
【００１３】
しかしながら、図６に示すような従来の圧電ファンでは、上述のように、本体固定用穴１５１，１５２にネジを差し込んで、外部の筐体（圧電ファンを取り付ける筐体）に固定するため、振動板１１と外部の筐体とが導通してしまう。これにより、外部の筐体を介してノイズが振動板１１に伝搬してしまうことがある。このように、振動板１１にノイズが伝搬すると、当該ノイズによって圧電素子の駆動信号が乱れ、所望とする振動を得られなくなってしまう。【００１４】
本発明の目的は、振動板と外部の筐体との導通を防ぎ、所望とする振動を安定して得ることができる圧電ファンを提供することにある。
【課題を解決するための手段】
【００１５】
この発明の圧電ファンは、次の特徴を有する。圧電ファンは、ベース部と羽板部とを有する振動板と、羽板部に取り付けられている圧電素子と、支持部と本体固定部とを有し支持部によってベース部を支持する保持部材と、を備える。保持部材の本体固定部は、支持部から延伸して設けられている。【００１６】
この構成では、本体固定部に形成される本体固定用穴は、振動板と支持体とが当接しない部分に形成される。これにより、圧電ファンを外部の筐体に、導電性のネジで固定しても、振動板と外部の筐体とが導通しない。これにより、振動板に外部からのノイズが伝搬されることを防止できる。【００１７】
また、この発明の圧電ファンは、羽板部が複数であり、本体固定部が複数の羽板部の間に設けられていることが好ましい。【００１８】
また、この発明の圧電ファンは、本体固定部が振動板を平面視してベース部よりも羽板部側に設けられていることがより好ましい。【００１９】
これらの構成とすることで、上述の作用効果を実現しながら、圧電ファンを小型に構成できる。特に、本体固定部を支持部よりも羽板部側に形成することで、より小型化が可能である。【００２０】
また、この発明の圧電ファンは、次の構成であることが好ましい。複数の羽板部は３枚であり、支持部の長手方向に沿って並んで配列されている。配列方向の両端の羽板部と配列方向の中央の羽板部とは、逆位相で振動するように駆動されている。【００２１】
この構成では、圧電ファンのより具体的な構成例を示している。この構成とすることで、各羽板部の振動がベース部で相殺され、振動が外部に伝搬されない。この際、上述のような構成を備えることにより、各羽板部には、所望の駆動信号がより確実に印加されるので、より確実に振動を相殺することができる。【００２２】
また、この発明の圧電ファンは、保持部材が絶縁性材料から構成されることが好ましい。【００２３】
この構成では、保持部材が外部から電気的に絶縁されるので、保持部材を介してノイズが駆動信号に重畳することを防止できる。
【発明の効果】
【００２４】
この発明によると、振動板と外部の筐体とを確実に絶縁し、所望とする振動を安定して得ることができる。
【図面の簡単な説明】
【００２５】
【図１】本発明の第１の実施形態に係る圧電ファン１０の外観斜視図、平面図、側面図、断面図である。
【図２】本発明の第１の実施形態に係る圧電ファン１０の駆動概念を示す図である。
【図３】本発明の第１の実施形態に係る保持部材１４２の平面図である。
【図４】本発明の第２の実施形態に係る圧電ファン１０Ａの外観斜視図、平面図、側面図である。
【図５】本発明の第３の実施形態に係る圧電ファン１０Ｂの外観斜視図、平面図、側面図である。
【図６】本発明の比較例に係る圧電ファン１０Ｐの外観斜視図、平面図、側面図である。
【発明を実施するための形態】
【００２６】
本発明の第１の実施形態に係る圧電ファンについて、図を参照して説明する。図１（Ａ）は、本発明の第１の実施形態に係る圧電ファン１０の外観斜視図である。図１（Ｂ）は、本発明の第１の実施形態に係る圧電ファン１０の平面図である。図１（Ｃ）は、本発明の第１の実施形態に係る圧電ファン１０の側面図である。図１（Ｄ）は、本発明の第１の実施形態に係る圧電ファン１０のＡ−Ａ’断面図である。図２は、本発明の第１の実施形態に係る圧電ファン１０の駆動概念を示す図である。図３は、本発明の第１の実施形態に係る保持部材１４２の平面図である。
【００２７】
圧電ファン１０は、振動板１１、圧電素子１２１，１２２，１２３，１３１，１３２，１３３、保持部１４を備える。
【００２８】
振動板１１は、互いに対向する第１平板面と第２平板面とを有し、所定の剛性を有する平板であり、例えば、厚み０．１ｍｍからなるＳＵＳ（ステンレススチール）から作られる。
【００２９】
振動板１１は、３枚の羽板部１１１，１１２，１１３とベース部１１０とから一体的に形成されている。羽板部１１１，１１２，１１３およびベース部１１０は、それぞれ長尺状の平板である。羽板部１１１，１１２，１１３は、ベース部１１０の長手方向に沿って所定の間隔で、ベース部１１０に接続されている。羽板部１１１，１１２，１１３は、ベース部１１０の長手方向に沿って、羽板部１１２、羽板部１１１、羽板部１１３の順で並んで接続されている。羽板部１１１，１１２，１１３の長手方向は、ベース部１１０の長手方向すなわち羽板部１１１，１１２，１１３の配列方向に対して直交している。
【００３０】
羽板部１１１，１１２，１１３のベース部１１０に接続する側の端部は、各羽板部１１１，１１２，１１３の固定端となる。一方、羽板部１１１，１１２，１１３の当該固定端と反対側の端部は、自由端となる。
【００３１】
羽板部１１１，１１２，１１３の幅（短手方向の長さ）は、長手方向に沿って変化する。具体的には、羽板部１１１，１１２，１１３の固定端側の幅は、羽板部１１１，１１２，１１３の自由端側の幅よりも短くなっている。これにより、振動板１１を平面視して（第１平板面及び第２平板面に直交する方向から見て）、羽板部１１１と羽板部１１２の間に所定間隔の空隙が形成され、羽板部１１１と羽板部１１３の間に所定間隔の空隙が形成される。
【００３２】
両端の羽板部１１２，１１３は、同じ形状をしている。配列方向に沿った中央の羽板部１１１の幅は、配列方向に沿った両端の羽板部１１２，１１３の幅の略２倍である。
【００３３】
圧電素子１２１は、羽板部１１１の第１平板面に取り付けられている。圧電素子１３１は、羽板部１１１の第２平板面（第１平板面の反対側の面）に取り付けられている。圧電素子１２２は、羽板部１１２の第１平板面に取り付けられている。圧電素子１３２は、羽板部１１２の第２平板面に取り付けられている。圧電素子１２３は、羽板部１１３の第１平板面に取り付けられている。圧電素子１３３は、羽板部１１３の第２平板面に取り付けられている。
【００３４】
圧電素子１２１，１２２，１２３，１３１，１３２，１３３は長尺状の平板である。それぞれの圧電素子は、平板面に直交する方向に分極している。それぞれの圧電素子の平板面には、駆動信号印加用の電極が形成されている（図示せず）。
【００３５】
それぞれの圧電素子は、例えば、チタン酸ジルコン酸鉛系セラミックスから作られる圧電体と圧電体の両主面に形成された電極とから構成される。なお、振動板１１を導電体とすることで、振動板１１側の電極を省略することができる。
【００３６】
図２に示すように、圧電素子１２１の分極方向と圧電素子１２２，１２３の分極方向とは、逆となっている。また、圧電素子１３１の分極方向と圧電素子１３２，１３３の分極方向とは、逆となっている。さらに、圧電素子１２１の分極方向と圧電素子１３１の分極方向とは同じとなっている。
【００３７】
このように分極された圧電素子１２１，１２２，１２３，１３１，１３２，１３３に同位相の交流電圧を加えると、羽板部１１１と羽板部１１２，１１３は、逆位相で振動する。振動板の固定端では、羽板部１１１と羽板部１１２，１１３の振動とが互いに打ち消し合うため、振動は抑制される。
【００３８】
保持部１４は、支持体１４１と保持部材１４２とを備える。
【００３９】
支持体１４１は、ベース部１１０と略同じ長尺状の平板からなる。支持体１４１は、例えば、ガラスエポキシ樹脂等の絶縁性材料から作られる。支持体１４１は、ベース部１１０と長手方向が一致するように、ベース部１１０の第１平板面に取り付けられている。
【００４０】
保持部材１４２は、支持部１６０と本体固定部１６１，１６２とから一体的に形成されている。保持部材１４２は、例えば、ガラスエポキシ樹脂等の絶縁性材料から形成されている。このように、支持体１４１および保持部材１４２を絶縁性材料で形成することにより、保持部材１４２を介して外部からのノイズが駆動信号に重畳することを防止できる。これにより、さらに、ノイズのよる振動への悪影響を低減できる。なお、少なくとも保持部材１４２の本体固定部１６１，１６２が絶縁性材料であれば、上述の作用効果を奏することは可能である。
【００４１】
支持部１６０は、ベース部１１０と略同じ長尺状の平板からなる。本体固定部１６１，１６２は、支持体１６０の平板面における長手方向に平行な端面から突出している。本体固定部１６１，１６２は、ほぼ羽板部１１１の幅だけ離れて位置している。本体固定部１６１，１６２は、それぞれ本体固定用穴１５１，１５２を形成されている。圧電ファン１０は、例えば、本体固定用穴１５１，１５２に差し込まれた金属製ネジ等によって、例えば送風先の筐体のような外部の筐体に螺合されている。
【００４２】
保持部材１４２は、支持部１６０とベース部１１０の長手方向が一致するように、ベース部１１０の第２平板面に取り付けられている。この際、本体固定部１６１は羽板部１１１と羽板部１１２との間の空隙内に位置し、本体固定部１６２は羽板部１１１と羽板部１１３との間の空隙内に位置している。
【００４３】
このような構成とすることで、本体固定用穴１５１，１５２にネジ等の導体の固定部材を差し込んで外部の筐体に螺合しても、ネジを介して振動板１１と外部の筐体とが電気的に導通（短絡）しない。したがって、外部の筐体内に含まれる他の回路基板で発生したノイズや、筐体外部から伝搬したノイズが、振動板１１に伝搬されることを防止できる。これにより、圧電素子１２１，１２２，１２３，１３１，１３２，１３３の駆動信号にノイズが重畳せず、羽板部１１１，１１２，１１３を安定して所望のように振動させることができる。
【００４４】
また、支持部１６０とベース部１１０とが接着剤により接着されることにより、保持部材１４２が振動板１１に取り付けられる。本体固定用穴１５１，１５２は支持部１６０に形成されていないので、本体固定用穴１５１，１５２は接着剤によって塞がれるおそれがない。したがって、本体固定用穴に影響を与えず、支持部と振動板との接着性をよくすることができる。
【００４５】
また、本実施形態では、本体固定部１６１，１６２は、羽板部間に形成された空隙内に位置している。このように形成すると、圧電ファン１０の外形形状が大きくならないため、より好ましい。
【００４６】
また、本体固定部１６１，１６２は、例えば、ガラスエポキシ樹脂等の絶縁性材料によって形成されている。これにより、金属製ネジ等の導電体によって圧電ファン１０を固定したとしても、導電体と振動板１１とは本体固定部１６１，１６２によって電気的に絶縁される。したがって、外部から振動板に所望の電圧をかける構造を容易に実現することができる。
【００４７】
次に、本発明の第２の実施形態に係る圧電ファンについて、図４を参照して説明する。図４（Ａ）は、本発明の第２の実施形態に係る圧電ファン１０Ａの外観斜視図である。図４（Ｂ）は、本発明の第２の実施形態に係る圧電ファン１０Ａの平面図である。図４（Ｃ）は、本発明の第２の実施形態に係る圧電ファン１０Ａの側面図である。
【００４８】
第２の実施形態の圧電ファン１０Ａは、支持体１４１を備えていない点を除いて、第１の実施形態に示した圧電ファン１０と同一の構成を備えている。第２の実施形態でも、第１の実施形態と同様の効果を得ることができる。
【００４９】
次に、本発明の第３の実施形態に係る圧電ファンについて、図５を参照して説明する。図５（Ａ）は、本発明の第３の実施形態に係る圧電ファン１０Ｂの外観斜視図である。図５（Ｂ）は、本発明の第３の実施形態に係る圧電ファン１０Ｂの平面図である。図５（Ｃ）は、本発明の第３の実施形態に係る圧電ファン１０Ｂの側面図である。
【００５０】
第３の実施形態に係る圧電ファン１０Ｂは、第１の実施形態の保持部１４に代えて保持部１４Ｂを備える。その他の構成は、第１の実施形態の構成と同様である。以下では、第１の実施形態と異なる点を説明する。保持部１４Ｂは、本体固定部１６１Ｂ，１６２Ｂを有する保持部材１４２Ｂを備える。本体固定部１６１Ｂ，１６２Ｂは、ベース部１１０から羽板部１１１，１１２，１１３が突出していない側に、位置している。
【００５１】
なお、本体固定部の形状や配置等は、上記の実施形態に限定されない。
【００５２】
また、振動板を構成する羽板部の枚数は、上記の実施形態に限定されない。
【００５３】
また、上述の実施形態では、圧電素子はチタン酸ジルコン酸鉛系セラミックスから構成しているが、これに限るものではない。例えば、ニオブ酸カリウムナトリウム系及びアルカリニオブ酸系セラミックス等の非鉛系圧電体セラミックスの圧電材料などから構成してもよい。
【００５４】
また、上記の実施形態では、振動板の両方の平板面に圧電素子を取り付けたが（バイモルフ型）、振動板の片方の平板面に圧電素子を取り付けてもよい（ユニモルフ型）。
【符号の説明】
【００５５】
１０，１０Ａ，１０Ｂ，１０Ｐ：圧電ファン
１１，１１Ｐ：振動板
１１１，１１２，１１３：羽板部
１２１，１２２，１２３，１３１，１３２，１３３：圧電素子
１４，１４Ｂ：保持部
１４１，１４１Ｐ，１４２Ｐ：支持体
１４２，１４２Ｂ：保持部材
１６０：支持部
１６１，１６２，１６１Ｂ，１６２Ｂ：本体固定部
【図１】
0005892240.tif 000002
【図２】
0005892240.tif 000003
【図３】
0005892240.tif 000004
【図４】
0005892240.tif 000005
【図５】
0005892240.tif 000006
【図６】
0005892240.tif 000007